(57)【要約】【課題】  個々の収納場所単位で、物品の在庫状態を把握することが可能なＩＣタグを利用した在庫管理システムを提供する。【解決手段】  ６つの収納庫Ｃ１〜Ｃ６を備えた収容設備に、ＩＣタグが付加された物品Ｇ１〜Ｇ６を収容する。各収納庫Ｃ１〜Ｃ６には、それぞれＩＣタグの記録内容を無線で読み取るリーダ装置Ｒ１〜Ｒ６を設置する。ただし、リーダ装置による読取機能が、別な収納庫内の物品に及ばないように、各収納庫を相互に電磁的に遮蔽する遮蔽手段Ｓ１〜Ｓ６（たとえば、金属網）を設け、各リーダ装置が、当該装置が設置されている収納庫内の物品のみに対して、ＩＣタグからのデータ読み取りを行うようにする。管理手段２００は、各リーダ装置が読み取った情報に基づいて、どの収納庫にどの物品が収容されているかを認識し、各収納庫内の在庫確認を行う。【選択図】  図１
2006264942.tif 000002
【特許請求の範囲】
【請求項１】
物理的に区画されている複数の収納庫を備えた収容設備において、収容物品に付加されているＩＣタグに記録された当該物品に関する情報を利用して在庫管理を行うシステムであって、
個々の収納庫にそれぞれ設置され、当該収納庫内の物品に付加されたＩＣタグの記録内容を無線で読み取るリーダ装置と、
前記リーダ装置による読取機能が、別な収納庫内の物品に及ばないように、各収納庫を相互に電磁的に遮蔽する遮蔽手段と、
各収納庫に設置されたリーダ装置が読み取った情報に基づいて、各収納庫内の在庫確認を行う管理手段と、
を備えることを特徴とするＩＣタグを利用した在庫管理システム。
【請求項２】
請求項１に記載の在庫管理システムにおいて、
リーダ装置が、個々の物品を特定する物品識別コードをＩＣタグから読み取るとともに、読み取った物品識別コードを、自己が設置されている収納庫を特定する収納庫識別コードとともに管理手段に伝送する機能を有し、
管理手段が、各リーダ装置から伝送されてきた情報に基づいて、特定の収納庫に特定の物品が収容されていることを確認することを特徴とするＩＣタグを利用した在庫管理システム。
【請求項３】
請求項１または２に記載の在庫管理システムにおいて、
物品を出し入れする開口部を有する箱型収納庫を複数配列し、前記開口部を除く収納庫壁面に遮蔽手段を設け、前記開口部を通じて隣接する収納庫内に読取機能が及ばない位置にリーダ装置を配置したことを特徴とするＩＣタグを利用した在庫管理システム。
【発明の詳細な説明】
【技術分野】
【０００１】
本発明は、在庫管理システムに関し、特に、ＩＣタグが付加された物品を収容する収容設備において、当該ＩＣタグに記録されている物品に関する情報を利用して在庫管理を行うシステムに関する。
【背景技術】
【０００２】
非接触式のＩＣタグには、無線交信機能をもったリーダライタ装置を利用して、種々のデータを書き込むことが可能であり、書き込んだデータを読み出すことが可能である。このため、工場出荷時点で、個々の物品にそれぞれＩＣタグを貼り付け、このＩＣタグ内に、当該物品に関する種々の情報を書き込んでおき、物流過程において、適宜この情報を利用する運用が普及し始めている。たとえば、下記の特許文献１には、物流途中や回収時に破損することを防止するため、物品の梱包体に非接触式のＩＣタグを取り付ける技術が開示されている。
【０００３】
物品にＩＣタグを付加しておくと、物流の様々な過程において、このＩＣタグに書き込まれたデータを利用することができ、また、物流の最終地点で納品が行われた後も、必要に応じて、このデータを利用することができる。このため、たとえば、物流の中間拠点やスーパーマーケットなどの物流の最終地点では、個々の物品の入庫および出庫状況を、このＩＣタグに書き込まれたデータを利用して行うことにより、在庫管理を行うこともできる。
【特許文献１】特開２００５−０４１４８５号公報
【発明の開示】
【発明が解決しようとする課題】
【０００４】
上述したとおり、物品に付加されたＩＣタグは、在庫管理に利用することが可能であるが、従来のＩＣタグを利用した在庫管理は、個々の物流拠点や個々の店舗などにおいて、特定の物品が入庫した、あるいは、出庫した、という事項を把握するに留まり、どの物品が、どの収納庫に入庫したか、あるいは、どの収納庫から出庫したか、というきめの細かな在庫管理を行うことはできない。
【０００５】
通常、多くの物流拠点の倉庫には、多数の収納庫が設置されており、実用上、どの物品がどの収納庫に格納されているか、という事実を把握することは極めて重要である。また、スーパーマーケットなどの大型店舗では、物品を陳列する棚（本願では、このような物品の陳列棚や収納棚も含めて、物品の収納庫と呼ぶ）が多数設けられており、どの物品がどの棚に配置されているか、という事実を把握することは極めて有用である。
【０００６】
そこで本発明は、個々の収納場所単位で、物品の在庫状態を把握することが可能なＩＣタグを利用した在庫管理システムを提供することを目的とする。
【課題を解決するための手段】
【０００７】
(1)   本発明の第１の態様は、物理的に区画されている複数の収納庫を備えた収容設備について、収容物品に付加されているＩＣタグに記録された当該物品に関する情報を利用して在庫管理を行う在庫管理システムにおいて、
個々の収納庫にそれぞれ設置され、当該収納庫内の物品に付加されたＩＣタグの記録内容を無線で読み取るリーダ装置と、
このリーダ装置による読取機能が、別な収納庫内の物品に及ばないように、各収納庫を相互に電磁的に遮蔽する遮蔽手段と、
各収納庫に設置されたリーダ装置が読み取った情報に基づいて、各収納庫内の在庫確認を行う管理手段と、
を設けるようにしたものである。
【０００８】
(2)   本発明の第２の態様は、上述の第１の態様に係るＩＣタグを利用した在庫管理システムにおいて、
リーダ装置が、個々の物品を特定する物品識別コードをＩＣタグから読み取るとともに、読み取った物品識別コードを、自己が設置されている収納庫を特定する収納庫識別コードとともに管理手段に伝送する機能を有し、
管理手段が、各リーダ装置から伝送されてきた情報に基づいて、特定の収納庫に特定の物品が収容されていることを確認する処理を行うようにしたものである。
【０００９】
(3)   本発明の第３の態様は、上述の第１または第２の態様に係るＩＣタグを利用した在庫管理システムにおいて、
物品を出し入れする開口部を有する箱型収納庫を複数配列し、この開口部を除く収納庫壁面に遮蔽手段を設け、開口部を通じて隣接する収納庫内に読取機能が及ばない位置にリーダ装置を配置するようにしたものである。
【発明の効果】
【００１０】
本発明に係る在庫管理システムでは、個々の収納庫ごとにリーダ装置を設け、このリーダ装置により当該収納庫に収容されている物品に付加されたＩＣタグの記録内容を読み取ることができるようにし、遮蔽手段により別な収納庫内の物品に付加されたＩＣタグに対する読み取りが行われないようにしたため、個々の収納場所単位で、物品の在庫状態を把握することが可能になる。
【発明を実施するための最良の形態】
【００１１】
以下、本発明を図示する実施形態に基づいて説明する。図１は、本発明に係るＩＣタグを利用した在庫管理システムの基本的な実施形態を示す平断面図（一部は、ブロック図）である。ここに示す在庫管理システムは、物理的に区画されている複数の収納庫を備えた収容設備において、収容物品に付加されているＩＣタグに記録された当該物品に関する情報を利用して在庫管理を行う機能を有する。
【００１２】
図１には、隔壁１００によって物理的に区画されている６つの収納庫Ｃ１〜Ｃ６を備えた収容設備の平断面図が示されている。各収納庫Ｃ１〜Ｃ６には、それぞれ物品の搬出入ドア１１０が設けられており、この搬出入ドア１１０を開閉して、物品の出し入れを行うことができる（図では、収納庫Ｃ２についての搬出入ドア１１０を開いた状態が示されている）。各収納庫Ｃ１〜Ｃ６には、それぞれ任意の物品を収容することができる。図示の例では、収納庫Ｃ１に２つの物品Ｇ１，Ｇ２が収容され、収納庫Ｃ２に１つの物品Ｇ３が収容され、収納庫Ｃ３に２つの物品Ｇ４，Ｇ５が収容され、収納庫Ｃ５に１つの物品Ｇ６が収容された状態が示されている。
【００１３】
本発明に係る在庫管理システムは、このように各収納庫に収容された個々の物品Ｇ１〜Ｇ６のそれぞれに、各物品に関する情報が記録されたＩＣタグが付加されていることを前提として、在庫管理を行うものである。本願におけるＩＣタグは、無線交信機能をもったＩＣメモリというべきものであり、現在、流通管理などを行うために、種々の業界で、物品への添付が普及し始めている。もちろん、ＩＣタグが付加されていない物品を収納庫に収容することも可能であるが、これらの物品についての在庫管理は、本システムでは行うことはできない。
【００１４】
個々の収納庫Ｃ１〜Ｃ６には、それぞれ当該収納庫内の物品に付加されたＩＣタグの記録内容を無線で読み取る機能をもったリーダ装置Ｒ１〜Ｒ６が設置されている。たとえば、図示のリーダ装置Ｒ１は、収納庫Ｃ１内に収容された物品Ｇ１，Ｇ２に付加されたＩＣタグの記録内容を無線で読み取る機能を有しており、リーダ装置Ｒ２は、収納庫Ｃ２内に収容された物品Ｇ３に付加されたＩＣタグの記録内容を無線で読み取る機能を有している。通常、ＩＣタグに対する無線交信機能をもった装置は、リーダライタ装置と呼ばれており、ＩＣタグに対して電磁波を放射して電力供給を行うとともに、ＩＣタグに対するデータの書き込み処理と、ＩＣタグからデータを読み出す処理とを行う機能をもっている。
【００１５】
ここに示す実施形態に用いられているリーダ装置Ｒ１〜Ｒ６も、このような一般的なリーダライタ装置によって構成されており、実際には、ＩＣタグ内の記録データを無線で読み取るだけではなく、必要に応じて、ＩＣタグに対して所定のデータを書き込むことができる。ただ、本発明における在庫管理システムでは、少なくともＩＣタグ内の記録データを無線で読み取る機能が備わっていれば足りるので、ここでは単に「リーダ装置」と呼ぶことにする。
【００１６】
また、各収納庫Ｃ１〜Ｃ６の壁面には、それぞれ遮蔽手段Ｓ１〜Ｓ６が設けられている。これらの遮蔽手段Ｓ１〜Ｓ６は、各リーダ装置Ｒ１〜Ｒ６による読取機能が、別な収納庫内の物品に及ばないように、各収納庫Ｃ１〜Ｃ６を相互に電磁的に遮蔽する機能をもった手段であり、ここに示す実施形態の場合、各収納庫Ｃ１〜Ｃ６の隔壁１００の内側に形成した金属層（金属製の網でもよい）によって、遮蔽手段Ｓ１〜Ｓ６を構成している。なお、図示の例では、各収納庫Ｃ１〜Ｃ６の側面の壁（搬出入ドア１１０の内側面も含む
）に、金属層を形成することにより、遮蔽手段Ｓ１〜Ｓ６を構成しているが、必要があれば、床面および天井面にも金属層を形成して、遮蔽手段Ｓ１〜Ｓ６の遮蔽効果を高めるようにしてもよい。形成する金属層としては、透明性を確保するために、たとえばＩＴＯ（酸化インジウム-錫）の薄膜を用いることも可能である。また、搬出入ドア１１０の代わりに暖簾状もしくはカーテン状の仕切りを用いることもできるし、暖簾状もしくはカーテン状の仕切りとドアとの組み合わせを用いることもできる。この場合、暖簾状もしくはカーテン状の仕切り部分にも金属層を形成しておくのが好ましい。たとえば、透明フィルムに透明の金属層を形成した材料で暖簾状もしくはカーテン状仕切りを構成すれば、外部から収納庫内を確認できるようになる。
【００１７】
各収納庫Ｃ１〜Ｃ６に遮蔽手段Ｓ１〜Ｓ６を設ける目的は、各リーダ装置Ｒ１〜Ｒ６による読取機能が、別な収納庫内の物品に及ばないように、各収納庫Ｃ１〜Ｃ６を相互に電磁的に遮蔽することにあり、このような目的を達成できるのであれば、遮蔽手段は、どのような構成要素によって実現してもよいし、どのような位置に形成するようにしてもかまわない。また、収納庫の隔壁１００自身を遮蔽手段として利用することも可能である。たとえば、隔壁１００を金属板で構成するようにすれば、隔壁１００自身が遮蔽手段としての機能を果たすことになるので、別途遮蔽手段を設ける必要はない。
【００１８】
このような遮蔽手段Ｓ１〜Ｓ６を設けることにより、１つの収納庫内に設置されたリーダ装置の読取機能は、当該収納庫内に収容されている物品に限定されることになる。たとえば、図示の例の場合、収納庫Ｃ１内に設置されているリーダ装置Ｒ１の読取機能は、収納庫Ｃ１内に収容されている物品Ｇ１，Ｇ２に付加されたＩＣタグに対してのみ作用し、リーダ装置Ｒ１は、隣接する収納庫Ｃ２に収容されている物品Ｇ３や、隣接する収納庫Ｃ３に収容されている物品Ｇ４，Ｇ５に付加されたＩＣタグに対する読み取りを行うことはできない。これは、個々の収納場所単位で、物品の在庫状態を把握する、という本発明の目的を達成する上で、非常に重要な点である。一般的な物品倉庫に本発明を適用する場合であれば、たとえば、ＵＨＦ帯（８００〜９００ＭＨｚ）の電波を用い、読み取り距離が８ｍ程度となる無線通信方式でＩＣタグに対する読み取りを行うのが好ましい。
【００１９】
各収納庫Ｃ１〜Ｃ６に設置されたリーダ装置Ｒ１〜Ｒ６が読み取った情報は、管理手段２００へと送信される。管理手段２００は、これら各リーダ装置Ｒ１〜Ｒ６が読み取った情報に基づいて、各収納庫Ｃ１〜Ｃ６内の在庫確認を行う機能を有する。たとえば、図示の例の場合、リーダ装置Ｒ１は、収納庫Ｃ１に収容されている物品Ｇ１，Ｇ２に付加されている各ＩＣタグから、それぞれ物品Ｇ１およびＧ２に関する情報を読み出し、これを管理手段２００へと伝送することになるので、管理手段２００は、現在、収納庫Ｃ１内に、２つの物品Ｇ１，Ｇ２が収容されていることを認識することができる。
【００２０】
図２は、このような在庫確認を行うためのより具体的な実施形態の一例を示すブロック図である。ここでは、収納庫Ｃ１内に収容されている２つの物品Ｇ１，Ｇ２の在庫確認を行う例が示されている。物品Ｇ１，Ｇ２には、それぞれＩＣタグＴ１，Ｔ２が付加されており、各ＩＣタグＴ１，Ｔ２には、それぞれ物品Ｇ１，Ｇ２に関する情報がデータとして記録されている。
【００２１】
ＩＣタグに記録する、物品に関する情報は、一般に、当該物品の出荷元となるメーカー名、製品名、型番、製造番号、ロット番号、発注番号、出荷日、流通経路、納入先、出荷日など、用途に応じて様々である。ここでは説明の便宜上、図２に示すように、各ＩＣタグＴ１，Ｔ２に、物品識別コード（物品を特定するためのコードであり、具体的には、製品名を示すコードでも、ロット番号でもかまわない）、メーカー名、出荷日、納入先なる４種類のデータが記録されている例を述べることにする。すなわち、ＩＣタグＴ１には、物品Ｇ１に関して、物品識別コード「ＩＤ０００１」、メーカー名「Ａ社」、出荷日「２００５年４月１日」、納入先「Ｘ社」なるデータが記録されており、ＩＣタグＴ２には、物品Ｇ２に関して、物品識別コード「ＩＤ０００２」、メーカー名「Ｂ社」、出荷日「２００５年４月１０日」、納入先「Ｙ社Ｚ営業所」なるデータが記録されている。
【００２２】
収納庫Ｃ１内に設置されたリーダ装置Ｒ１は、収納庫Ｃ１内に収容されているこれら２つの商品Ｇ１，Ｇ２に付加されたＩＣタグＴ１，Ｔ２と無線交信し、上記各データを読み取ることになる。もっとも、実際には、上記データの必ずしも全部を読み取る必要はなく、在庫管理を行う上で必要なデータを選択的に読み取れば十分である。ここでは、リーダ装置Ｒ１によって、各ＩＣタグＴ１，Ｔ２から物品識別コードのみが読み取られたものとして、以下の説明を続けることにする。
【００２３】
リーダ装置Ｒ１は、こうして、個々の物品を特定する物品識別コードをＩＣタグから読み取ったら、読み取った物品識別コードを、自己が設置されている収納庫を特定する収納庫識別コードとともに管理手段２００に伝送する処理を行う。図２に示す例の場合、リーダ装置Ｒ１は、ＩＣタグＴ１から「ＩＤ０００１」なる物品識別コードを読み取り、ＩＣタグＴ２から「ＩＤ０００２」なる物品識別コードを読み取ることになるので、これらのコードとともに、自己が設置されている収納庫Ｃ１を特定するための収納庫識別コード「Ｃ１」を管理手段２００へ伝送することになる。すなわち、この場合、リーダ装置Ｒ１から管理手段２００へと伝送されるデータＤは、「Ｃ１，ＩＤ０００１，ＩＤ０００２」なるデータになる。
【００２４】
管理手段２００には、このようなデータが、各リーダ装置Ｒ１〜Ｒ６から伝送されてくる。もちろん、物品が１つも収容されていない収納庫Ｃ４，Ｃ６内のリーダ装置Ｒ４，Ｒ６からは、収納庫識別コードのみが伝送されてくることになる。管理手段２００は、こうして各リーダ装置Ｒ１〜Ｒ６から伝送されてきた情報に基づいて、特定の収納庫に特定の物品が収容されていることを確認することができる。たとえば、リーダ装置Ｒ１から送信されてきた「Ｃ１，ＩＤ０００１，ＩＤ０００２」なるデータＤに基づいて、収納庫Ｃ１内には、物品識別コード「ＩＤ０００１」，「ＩＤ０００２」で特定される物品が収容されていることが確認できる。
【００２５】
管理手段２００は、実際には、コンピュータによって構成される。したがって、特定の時点における各収納庫Ｃ１〜Ｃ６の物品の収容状態を、必要に応じて、ディスプレイ画面上に表示することも可能であるし、記憶装置に保存することも可能である。図３は、図１に示す物品の収容状態を、管理手段２００によって、ディスプレイ画面上に表示した例を示す図である。この表示によれば、収納庫Ｃ１には、物品識別コード「ＩＤ０００１」，「ＩＤ０００２」で特定される２つの物品が収容されており、収納庫Ｃ２には、物品識別コード「ＩＤ０００３」で特定される物品が収容されており、収納庫Ｃ３には、物品識別コード「ＩＤ０００４」，「ＩＤ０００５」で特定される２つの物品が収容されており、
収納庫Ｃ５には、物品識別コード「ＩＤ０００６」で特定される物品が収容されていることが一目で把握できる。また、現在、収納庫Ｃ４，Ｃ６が空の状態であることも確認できる。
【００２６】
なお、物品識別コードとこれに対応する種々の情報とを対応づける一覧表を用意しておけば、管理手段２００は、この一覧表を参照することにより、各収納庫に収容されている物品を、その物品識別コードによって認識するだけでなく、所望の情報によって認識することが可能になる。たとえば、個々の物品識別コードと各物品の製品名とを対応づける一覧表を用意しておけば、図３に示す表における各物品識別コードを、各物品の製品名で表示することが可能になる。
【００２７】
また、各リーダ装置Ｒ１〜Ｒ６の読取処理を、所定の時間間隔で周期的に行うようにすれば、管理手段２００は、当該周期ごとに、最新の収容状態を認識することができる。結局、どの収納庫に、現在、どの物品が収容されているか、という在庫状態を、個々の収納場所単位で把握することが可能になる。
【００２８】
以上、本発明に係る在庫管理システムを、図１に示す倉庫型の収容設備に適用した例を説明したが、本発明の適用は、このような倉庫型の収容設備に限定されるものではなく、たとえば、スーパーマーケットなどの商品陳列棚、図書館や書店の書棚などに適用することも可能である。要するに、本発明の適用対象となる収容設備は、物理的に区画されている複数の収納庫を備え、ＩＣタグが付加された物品を収容する収容設備であれば、その具体的な形態や規模は問わない。また、物理的に区画されている複数の収納庫は、それぞれが密閉されている必要はなく、商品陳列棚や書棚のように、開口部を有していてもかまわない。
【００２９】
図４は、書棚に本発明を適用した例を示す斜視図である。この書棚は、物品（この場合は、書籍）を出し入れする開口部を有する箱型収納庫Ｃ１１〜Ｃ１４を複数配列した収容設備と言うことができ、ＩＣタグが付加された書籍を収容する利用形態を前提とすれば、本発明に係る在庫管理システムを適用することが可能である。
【００３０】
箱型収納庫Ｃ１１〜Ｃ１４は、前面に書籍を出し入れするための開口部を有するが、それぞれが互いに物理的に区画された収納庫を構成している。図には、５冊の書籍Ｂ１〜Ｂ５を収納庫Ｃ１１に収容した状態が示されているが、これら各書籍Ｂ１〜Ｂ５には、それぞれＩＣタグが付加されており、各ＩＣタグには、それぞれ各書籍に関する情報がデータとして記録されている。
【００３１】
図示のとおり、各収納庫Ｃ１１〜Ｃ１４の背面板の内部には、それぞれリーダ装置Ｒ１１〜Ｒ１４が設置されており、いずれも自己が設置された収納庫内に収容されている書籍に付加されているＩＣタグと無線交信する機能を有している。たとえば、リーダ装置Ｒ１１は、収納庫Ｃ１１内の書籍Ｂ１〜Ｂ５に付加されているＩＣタグと無線交信し、データを読み取る機能を果たす。もちろん、この実施形態の場合も、各リーダ装置Ｒ１１〜Ｒ１４による読取機能が、別な収納庫内の物品に及ばないように、各収納庫を相互に電磁的に遮蔽する遮蔽手段が設けられている。具体的には、前面の開口部を除く各収納庫Ｃ１１〜Ｃ１４の壁面に、金属層などを遮蔽手段として形成しておけばよい。このとき、各リーダ装置Ｒ１１〜Ｒ１４は、各収納庫Ｃ１１〜Ｃ１４の前面の開口部を通じて隣接する収納庫内に読取機能が及ばない位置に配置するようにする。図示の例で、各リーダ装置Ｒ１１〜Ｒ１４を、背面板に取り付けているのは、このような配慮に基づくものである。したがって、書籍Ｂ１〜Ｂ５に付加されているＩＣタグの内容は、リーダ装置Ｒ１１によってのみ読み取られ、リーダ装置Ｒ１２，Ｒ１３，Ｒ１４によって読み取られることはない。本発明をこのような書棚に適用する場合、たとえば、１３５ｋＨｚ帯の電磁波により、読み取り距離が数ｃｍ程度となる電磁誘導式リーダ装置を用いてＩＣタグに対する読み取りを行うのが好ましい。
【００３２】
なお、図４には示されていないが、各収納庫Ｃ１１〜Ｃ１４に設置されたリーダ装置Ｒ１１〜Ｒ１４が読み取った情報に基づいて、各収納庫Ｃ１１〜Ｃ１４内の在庫確認を行う管理手段（実際には、コンピュータ）が別途設けられており、この管理手段により、いずれの収納庫にいずれの書籍が収容されているかを確認することができる。
【００３３】
図書館や書店などに、この図４に示すような書棚を多数配置しておき、各書棚に陳列する書籍に、それぞれＩＣタグを付加しておくようにすれば、管理手段として機能するコンピュータによって、常に、どの棚にどの書籍が存在するかを直ちに把握することができるので、非常にきめの細かな書籍の在庫管理を行うことが可能になる。たとえば、図書館などでは、従来から、個々の書籍にＩＣタグを付加して、貸し出し／返却の管理を行っているが、このような従来の在庫管理では、所定の書籍が館内に戻っている、という事項を確認することは可能であるが、どの棚に戻っているか、という事項の確認まではできない。本発明に係る在庫管理システムでは、棚の位置まで特定することが可能になるので、返却する棚を間違えたような場合にも、適切な対処が可能になる。
【図面の簡単な説明】
【００３４】
【図１】本発明に係るＩＣタグを利用した在庫管理システムの基本的な実施形態を示す平断面図（一部は、ブロック図）である。
【図２】本発明に係る在庫管理システムにおいて、在庫確認を行うためのより具体的な実施形態の一例を示すブロック図である。
【図３】図１に示す物品の収容状態を、管理手段２００によって、ディスプレイ画面上に表示した例を示す図である。
【図４】書棚に本発明を適用した例を示す斜視図である。
【符号の説明】
【００３５】
１００…収納庫の隔壁
１１０…搬出入ドア
２００…管理手段（コンピュータ）
Ｂ１〜Ｂ５…書籍
Ｃ１〜Ｃ６，Ｃ１１〜Ｃ１４…収納庫
Ｄ…リーダ装置から管理手段へ伝送されるデータ
Ｇ１〜Ｇ６…物品
Ｒ１〜Ｒ６，Ｒ１１〜Ｒ１４…リーダ装置（リーダライタ装置）
Ｓ１〜Ｓ６…遮蔽手段
Ｔ１，Ｔ２…ＩＣタグ
【図１】
2006264942.tif 000003
【図２】
2006264942.tif 000004
【図３】
2006264942.tif 000005
【図４】
2006264942.tif 000006